(57)【要約】      （修正有）【課題】清掃用具に関し、モップ底板とモップ柄を固定可能とし、相応の脱水器を合わせて用いることによって、洗浄及び脱水を便利にすることができるフラットモップを提供する。【解決手段】フラットモップにおいて、モップ柄１、モップ底板２、自在継ぎ手及び布を備え、モップ柄とモップ底板とが自在継ぎ手を介して接続され、モップ底板に布が套設される。モップ柄に自在継ぎ手固定装置が設けられ、自在継ぎ手固定装置がモップ柄の末端の固定プッシュロッド３に取り付けられる。自在継ぎ手固定装置が可動ピンと連接棒機構とを備え、連接棒機構が上連接棒と下連接棒とを備え、上連接棒と下連接棒がヒンジ連結される。可動ピンが固定ピンを介して下連接棒にヒンジ連結され、上連接棒が固定プッシュロッドにヒンジ連結される。【選択図】図１
0003184132.tif 000002
【実用新案登録請求の範囲】
【請求項１】
モップ柄、モップ底板、自在継ぎ手及び布を備え、前記モップ柄とモップ底板とが自在継ぎ手を介して接続され、前記モップ底板に布が套設され、洗浄脱水に便利なフラットモップであって、前記モップ柄に自在継ぎ手固定装置が設けられ、前記自在継ぎ手固定装置がモップ柄の末端の固定プッシュロッドに取り付けられ、前記固定プッシュロッドにシュートが設けられており、前記自在継ぎ手固定装置が可動ピンと連接棒機構とを備え、前記連接棒機構が上連接棒と下連接棒とを備え、上連接棒と下連接棒がヒンジ連結され、前記可動ピンがシュート内に設けられる固定ピンを介して下連接棒にヒンジ連結され、前記上連接棒が固定プッシュロッドにヒンジ連結され、前記モップ底板が固定底板と可動底板とを備え、前記固定底板の幾何学的な中心が自在継ぎ手を介して固定プッシュロッドに接続され、前記固定底板の両端にそれぞれ可動底板がヒンジ連結され、前記固定底板の平面外形は非円形となっており、脱水器との接続に用いられることを特徴とする洗浄脱水に便利なフラットモップ。
【請求項２】
固定プッシュロッド内に復帰ばねが設けられることを特徴とする請求項１に記載の洗浄脱水に便利なフラットモップ。
【請求項３】
可動ピンが固定プッシュロッドの内部に設けられることを特徴とする請求項１又は２に記載の洗浄脱水に便利なフラットモップ。
【請求項４】
可動ピンが固定プッシュロッドの外部に設けられることを特徴とする請求項１又は２に記載の洗浄脱水に便利なフラットモップ。
【請求項５】
可動ピンが固定プッシュロッドの内部と外部に結合して配置されることを特徴とする請求項１又は２に記載の洗浄脱水に便利なフラットモップ。
【請求項６】
固定底板と可動底板との接続端の側面及び底面に係止溝が設けられ、可動底板には前記係止溝に対応するバンプが設けられることを特徴とする請求項１乃至５のいずれかに記載の洗浄脱水に便利なフラットモップ。
【請求項７】
バンプがバンプシュートの中に設けられ、バンプシュートの底部にばねが設けられ、バンプがばねの作用でバンプシュートに沿って移動可能であることを特徴とする請求項６に記載の洗浄脱水に便利なフラットモップ。
【請求項８】
可動底板に布取付孔が設けられることを特徴とする請求項１乃至７のいずれかに記載の洗浄脱水に便利なフラットモップ。
【考案の詳細な説明】
【技術分野】
【０００１】
本考案は清掃用具に関し、特に洗浄・脱水に便利なフラットモップに関する。
【背景技術】
【０００２】
モップは、家庭と仕事環境の清掃作業に不可欠な清掃用具であり、通常、人々は手で洗浄するが、洗浄が容易ではないだけでなく、不衛生で、不便でもある。現在、市場でさまざまなモップが売り出され、各種のモップの洗浄、脱水に便利な構造の設計を含むが、フラットモップの洗浄と脱水を解決できる優れた技術案はない。フラットモップは洗浄面積が大きく、清掃効果が優れているというメリットを有するが、従来のフラットモップは面積が比較的大きいため、それ自体の洗浄が不便で、洗浄後、脱水も不便であり、フラットモップの普及に一定の妨害をもたらしている。
【考案の概要】
【考案が解決しようとする課題】
【０００３】
本考案が解決しようとする技術問題は、モップ底板とモップ柄を固定可能とし、相応の脱水器を合わせて用いることによって、洗浄及び脱水を便利にすることである。
【課題を解決するための手段】
【０００４】
この目的を達成するために、本考案は下記の技術案を採用する。
洗浄脱水に便利なフラットモップであって、モップ柄、モップ底板、自在継ぎ手及び布を備え、前記モップ柄とモップ底板とが自在継ぎ手を介して接続され、前記モップ底板に布が套設され、前記モップ柄に自在継ぎ手固定装置が設けられ、前記自在継ぎ手固定装置がモップ柄の末端の固定プッシュロッドに取り付けられ、前記固定プッシュロッドにシュートが設けられており、前記自在継ぎ手固定装置が可動ピンと連接棒機構とを備え、前記連接棒機構が上連接棒と下連接棒とを備え、上連接棒と下連接棒とがヒンジ連結され、前記可動ピンがシュート内に設けられる固定ピンを介して下連接棒にヒンジ連結され、前記上連接棒が固定プッシュロッドにヒンジ連結され、前記モップ底板が固定底板と可動底板とを備え、前記固定底板の幾何学的な中心が自在継ぎ手を介して固定プッシュロッドに接続され、前記固定底板の両端にそれぞれ可動底板がヒンジ連結され、前記固定底板の平面外形は非円形となっており、脱水器との接続に用いられる。
【０００５】
好ましくは、前記固定プッシュロッド内に復帰ばねが設けられる。
【０００６】
好ましくは、前記可動ピンが固定プッシュロッドの内部に設けられる。
【０００７】
好ましくは、前記可動ピンが固定プッシュロッドの外部に設けられる。
【０００８】
好ましくは、前記可動ピンが固定プッシュロッドの内部と外部に結合して配置される。
【０００９】
好ましくは、前記固定底板と可動底板との接続端の側面及び底面に係止溝が設けられ、可動底板には前記係止溝に対応するバンプが設けられる。
【００１０】
好ましくは、前記バンプがバンプシュートの中に設けられ、バンプシュートの底部にばねが設けられ、バンプがばねの作用でバンプシュートに沿って移動可能である。
【００１１】
好ましくは、前記可動底板に布取付孔が設けられる。
【考案の効果】
【００１２】
本考案の有益な効果は、自在継ぎ手固定装置を設けて、洗浄及び脱水の過程で自在継ぎ手を固定し、復帰ばねを設けて、自在継ぎ手の固定を便利に解放でき、係止溝を設けていることによって、異なる方位で可動底板を固定でき、作動及び洗浄に便利で、固定底板の外形が脱水器に対応して洗浄脱水に便利で、手が布に接触することなくモップの洗浄、脱水のいずれをも実現し、さらに衛生、便利であることにある。
【００１３】
以下、図面及び実施例を参照して本考案をさらに詳しく説明する。
【図面の簡単な説明】
【００１４】
【図１】図1は本考案に係る洗浄脱水に便利なフラットモップの模式図である。
【図２】図2は本考案に係る自在継ぎ手固定装置の構成模式図である。
【図３】図3は本考案に係るモップ底板の構成模式図である。
【図４】図4は本考案に係る可動底板の構成模式図である。
【図５】図5は本考案に係る可動ピンが固定プッシュロッドの外側に設けられる構成模式図である。
【考案を実施するための形態】
【００１５】
以下、図面を参照して、具体的な実施形態によって本考案の技術案をさらに説明する。
【００１６】
図1〜5に示すように、本実施例において、本考案に係る洗浄脱水に便利なフラットモップは、モップ柄1、モップ底板2、自在継ぎ手及び布を備え、前記モップ柄1とモップ底板2とが自在継ぎ手を介して接続され、前記モップ底板2に布が套設され、前記モップ柄1に自在継ぎ手固定装置が設けられ、前記自在継ぎ手固定装置がモップ柄1の末端の固定プッシュロッド3に取り付けられ、前記固定プッシュロッド3にシュート4が設けられ、前記自在継ぎ手固定装置が可動ピン5と連接棒機構とを備え、前記連接棒機構が上連接棒7と下連接棒8とを備え、上連接棒7と下連接棒8がヒンジ連結され、前記可動ピン5がシュート4内に設けられる固定ピン9を介して下連接棒8にヒンジ連結され、前記上連接棒7が固定プッシュロッド3にヒンジ連結され、前記モップ底板が固定底板10と可動底板11とを備え、前記固定底板10の幾何学的な中心が自在継ぎ手を介して固定プッシュロッド3に接続され、前記固定底板10の両端にそれぞれ可動底板11がヒンジ連結され、前記固定底板10の平面外形は非円形となっており、脱水器との接続に用いられ、前記固定プッシュロッド3内に復帰ばね6が設けられ、前記可動ピン5が固定プッシュロッド3の内部に設けられてもよく、固定プッシュロッド3の外部に設けられてもよく、さらに固定プッシュロッド3の内部と外部に結合して配置されてもよく、前記固定底板10と可動底板11との接続端の側面及び底面に係止溝12が設けられ、可動底板11には前記係止溝12に対応するバンプ13が設けられ、前記バンプ13がバンプシュート14に設けられ、バンプシュート14の底部にばね15が設けられ、バンプ13がばね15の作用でバンプシュート14に沿って移動可能であり、前記可動底板11に布取付孔16が設けられる。
【００１７】
モップが作動する時、連接棒機構が外へ反り、その末端に接続された可動ピン5が引っ込んで自在継ぎ手をロックせず、この時、モップ底板2は各方向に回転可能であり、作動に便利である。布を洗浄する必要がある時、連接棒機構を固定プッシュロッド3に押出し、可動ピン5が下方向へ移動してモップ底板2に接続され、自在継ぎ手を固定し、この時、モップ底板2とモップ柄1は自由に回転できず、可動底板11を固定底板10と垂直の位置に引っ張り、モップ底板をそれに対応する脱水器に入れ、それを脱水器と共に回転させて洗浄又は脱水を行う。
【符号の説明】
【００１８】
1、モップ柄；2、モップ底板；3、固定プッシュロッド；4、シュート；5、可動ピン；6、復帰ばね；7、上連接棒；8、下連接棒；9、固定ピン；10、固定底板；11、可動底板；12、係止溝；13、バンプ；14、バンプシュート；15、ばね；16、布取付孔。
【図１】
0003184132.tif 000003
【図２】
0003184132.tif 000004
【図３】
0003184132.tif 000005
【図４】
0003184132.tif 000006
【図５】
0003184132.tif 000007